(57)【要約】【課題】浴槽へ温水を供給して湯張りを行う際に浴室までわざわざ行くことなく遠隔操作により湯張りを行うことができ、且つ脱衣室を利用する際には予め脱衣室が暖房された状態で脱衣室を利用することができる給湯暖房システムを提供する。【解決手段】浴室１の浴槽３内に温水を供給する給湯機構と、浴室１及び脱衣室２以外の箇所に設けられ、且つ前記給湯機構による前記浴槽３への温水の供給開始を設定する機能を備える操作盤５とを具備する給湯暖房システムに関する。脱衣室２に温水熱輻射型暖房装置４を設ける。前記給湯機構が前記温水熱輻射型暖房装置４へ温水を供給する機能を具備する。前記操作盤５が前記給湯機構による前記温水熱輻射型暖房装置４への温水の供給開始を設定する機能を備える。これにより、遠隔装置により、浴槽３への湯張りだけでなく、脱衣室２の暖房を行うことができる。【選択図】      図１
2004293855.tif 000002
【特許請求の範囲】
【請求項１】
浴室の浴槽内に温水を供給する給湯機構と、浴室及び脱衣室以外の箇所に設けられ、且つ前記給湯機構による前記浴槽への温水の供給開始を設定する機能を備える操作盤とを具備する給湯暖房システムであって、脱衣室に温水熱輻射型暖房装置を設け、前記給湯機構が前記温水熱輻射型暖房装置へ温水を供給する機能を具備すると共に、前記操作盤が前記給湯機構による前記温水熱輻射型暖房装置への温水の供給開始を設定する機能を備えることを特徴とする給湯暖房システム。
【請求項２】
上記温水熱輻射型暖房装置が、温水床暖房装置であることを特徴とする請求項１に記載の給湯暖房システム。
【請求項３】
上記操作盤が、上記給湯機構による上記温水熱輻射型暖房装置への温水の供給開始が設定された際に、同時に上記給湯機構による上記温水熱輻射型暖房装置への温水の供給開始を設定する機能を備えるものであることを特徴とする請求項１又は２に記載の給湯暖房システム。
【請求項４】
上記操作盤が、上記給湯機構による上記温水熱輻射型暖房装置への温水の供給開始が設定された際に、脱衣室の暖房開始初期には上記給湯機構から上記温水熱輻射型暖房装置へ比較的温度の高い温水を供給して高温モード運転をさせ、その後、前記給湯機構から前記温水熱輻射型暖房装置へ比較的温度の低い温水を供給して通常運転させるように、給湯機構の動作を設定する機能を備えるものであることを特徴とする請求項１乃至３のいずれかに記載の給湯暖房システム。
【発明の詳細な説明】
【０００１】
【発明の属する技術分野】
本発明は、浴室の浴槽内に温水を供給する給湯機構と、前記給湯機構による前記浴槽への温水の供給開始を設定する機能を備え且つ浴室及び脱衣室以外の箇所に設けられた操作盤とを具備する給湯暖房システムに関するものである。
【０００２】
【従来の技術】
従来、浴室内の浴槽へと温水を供給して浴槽の湯張りを行うために、温水を熱源機から浴室に供給する給湯システムが提供されている。このような給湯システムとしては、浴槽への温水の供給開始を設定するための操作盤を、浴室だけでなく、台所等のように住宅の居住者が主として生活の場とする居室にも設置し、浴槽の湯張りをわざわざ浴室まで行くことなく、台所等の操作盤を操作することにより遠隔操作にて行えるようにして、利便性を高めたものがある（特許文献１参照）。
【０００３】
【特許文献１】
特開平１１−７２２３６号公報
【０００４】
【発明が解決しようとする課題】
しかし、上記の特許文献１に開示されているようなものにあっては、操作盤による給湯の動作は、浴槽の湯張りを操作する以外に、この操作盤が設置された台所等の温水暖房装置への温水の供給を制御するものはあるが、遠隔操作による給湯は浴槽の湯張りのみを行うものであって、住宅内の他の部屋における給湯を遠隔操作により行うものではなかった。
【０００５】
一方、特に脱衣室は、洗面をしたり、トイレを利用したり、入浴を行う際に使用するものであって、住人が主として生活の場とするところではないが、そのために常時暖房を行う必要があるものではなく、このため特に冬場等では脱衣室を利用する際に住人は寒さを感じることとなる。殊に浴室を利用する際には、脱衣室で脱衣すると一層寒さを感じるものであった。このため、脱衣室を利用するにあたって予め脱衣室の暖房を行うようにすることが求められていた。
【０００６】
本発明は上記の点に鑑みてなされたものであり、浴槽へ温水を供給して湯張りを行う際に浴室までわざわざ行くことなく遠隔操作により湯張りを行うことができ、且つ脱衣室を利用する際には予め脱衣室が暖房された状態で脱衣室を利用することができる給湯暖房システムを提供することを目的とするものである。
【０００７】
【課題を解決するための手段】
本発明に係る給湯暖房システムは、浴室の浴槽内に温水を供給する給湯機構と、浴室及び脱衣室以外の箇所に設けられ、且つ前記給湯機構による前記浴槽への温水の供給開始を設定する機能を備える操作盤とを具備する給湯暖房システムにおいて、脱衣室に温水熱輻射型暖房装置を設け、前記給湯機構が前記温水熱輻射型暖房装置へ温水を供給する機能を具備すると共に、前記操作盤が前記給湯機構による前記温水熱輻射型暖房装置への温水の供給開始を設定する機能を備えることを特徴とするものである。このために、遠隔装置により、浴槽への湯張りだけでなく、脱衣室の暖房を行うことができ、使用者の利便性を高めることができるものである。また脱衣室の暖房は熱輻射にて行われることから、温風による暖房のような冷風感がなく、特に入浴時に脱衣室にて脱衣した際に肌寒さを感じることがなくなり、効率的に暖房を行うことができるものである。
【０００８】
また請求項２の発明は、請求項１において、上記温水熱輻射型暖房装置が、温水床暖房装置であることを特徴とするものである。このために、熱輻射だけでなく足裏が直接床暖房により温められて、特に入浴時に脱衣室にて脱衣した際に使用者の体が更に効率的に温められるものである。
【０００９】
また請求項３の発明は、請求項１又は２において、上記操作盤が、上記給湯機構による上記温水熱輻射型暖房装置への温水の供給開始が設定された際に、同時に上記給湯機構による上記温水熱輻射型暖房装置への温水の供給開始を設定する機能を備えるものであることを特徴とするものである。このため、入浴時には、湯張りと同時に脱衣室の暖房を行うことができ、別途に暖房のための操作を行わずに、暖房された脱衣室を利用してから入浴することができるものである。
【００１０】
また請求項４の発明は、請求項１乃至３のいずれかにおいて、上記操作盤が、上記給湯機構による上記温水熱輻射型暖房装置への温水の供給開始が設定された際に、脱衣室の暖房開始初期には上記給湯機構から上記温水熱輻射型暖房装置へ比較的温度の高い温水を供給して高温モード運転をさせ、その後、前記給湯機構から前記温水熱輻射型暖房装置へ比較的温度の低い温水を供給して通常運転させるように、給湯機構の動作を設定する機能を備えるものであることを特徴とするものである。このため、脱衣室を暖房により速やかに所望の温度まで上昇させることができるものである。
【００１１】
【発明の実施の形態】
以下、本発明の実施の形態を説明する。
【００１２】
図１は本発明による給湯暖房システムの一実施例を示したものであり、この給湯暖房システムは、給湯機構と操作盤５と温水熱輻射型暖房装置４とを具備する。
【００１３】
給湯機構は、熱源機７と、熱源機７から送出される温水が流通する温水配管８とから構成されている。
【００１４】
温水配管８はその始端部が熱源機７に接続されている。図示の例では、温水配管８として、浴室１の浴槽３内に接続された浴槽給湯配管８ａ、浴室１に隣接する脱衣室２の床部に設けられた温水熱輻射型暖房装置４に接続されている暖房用配管８ｂ、浴室１内のカラン１０及びシャワー１１並びに台所１３のカラン９に接続された一般給湯配管８ｃが、設けられている。このため、一つの熱源機７により、浴槽３への湯張り用の温水の供給と、温水熱輻射型暖房装置４への暖房用の温水の供給とが可能となっており、またこの熱源機７により、浴室１内のカラン１０、シャワー１１、台所１３のカラン９へも温水の供給が可能となっている。
【００１５】
熱源機７は、操作盤５から伝達される制御信号に応じて、温水配管８に温水を供給するものである。この熱源機７には、熱源機７の動作を制御する制御部１２が設けられており、この制御部１２は、後述するように操作盤５から伝達される制御信号に基づいて、各温水配管８に送出する温水の量、温度、供給時刻等を制御するものである。
【００１６】
温水熱輻射型暖房装置４は、供給された温水が循環されることにより加熱されて、熱輻射により脱衣室２内の暖房を行うものが設けられるものであり、脱衣室２において、床部、壁部等の適宜の箇所に設けられる。温水熱輻射型暖房装置４を床部に設けた場合には、温水床暖房装置が形成されるものであり、図示の例ではこのような温水床暖房装置を設けている。
【００１７】
操作盤５は、使用者が操作することによって上記の給湯機構による浴槽３への温水の供給開始を設定する機能を備え、更に上記の給湯機構による脱衣室２の温水熱輻射型暖房装置４への温水の供給開始を設定する機能をも備える。例えば操作盤５と熱源機７の制御部１２とを信号線にて接続し、使用者による操作盤５に対する設定動作に応じた制御信号を、操作盤５が前記信号線を介して制御部１２に出力するように形成するものである。そして、熱源機７は、浴槽３への温水の供給開始を設定する設定動作に応じた制御信号が操作盤５から出力された際には、制御部１２による制御を受けて、浴槽給湯配管８ａを介して浴槽３内へ温水を供給し、また脱衣室２の温水熱輻射型暖房装置４への温水の供給開始を設定する設定動作に応じた制御信号が操作盤５から出力された際には、制御部１２による制御を受けて、暖房用配管８ｂを介して温水熱輻射型暖房装置４へ温水を供給するように、形成するものである。
【００１８】
操作盤５の一例を図２に示す。図示の符号１７は浴槽３への温水の供給開始を設定するランプスイッチ、符号１５は浴槽３への温水の供給を開始した後、所定の量の温水を供給後に自動的に温水の供給を停止する自動運転を設定するランプスイッチであり、使用者がこれらのランプスイッチ１５，１７を押すことにより、給湯機構による浴槽３への温水の供給開始を設定できるようになっている。また、符号１６は温水熱輻射型暖房装置４の運転開始と停止とを設定するランプスイッチであり、使用者がこのランプスイッチ１６を押すことにより、給湯機構による温水熱輻射型暖房装置４への温水の供給開始を設定することができるようになっている。
【００１９】
また、浴槽３へ供給される温水の温度の設定は、給湯温度設定用矢印ボタン２４ａ，２４ｂを押すことにより行われ、その設定温度が、液晶表示パネル等からなる表示部１９に表示されるようになっている。また暖房温度（図示の例では床暖房温度）の設定は、温度設定用矢印ボタン１４ａ，１４ｂを押すことにより行われ、その暖房レベルが表示部１９に多段階に表示されるようになっている。
【００２０】
また、図示の例では、操作盤５は浴槽３への給湯開始及び温水熱輻射型暖房装置４の動作開始時刻を設定する予約設定機能も備えている。このとき、現在時刻及び予約時刻の設定を行う場合には、設定選択ボタン２０を押していくと、現在時刻設定ランプ２２，風呂予約設定ランプ１８ａ，床暖「入」予約設定ランプ１８ｂ，床暖「切」予約設定ランプ１８ｃが順次点滅する。従ってこれらのランプ２２，１８ａ，１８ｂ，１８ｃのうち、時刻設定を行いたいランプを点灯させた上で、表示部１９の下段に所望の時刻が表示されるまで「時」ボタン２１ａ及び「分」ボタン２１ｂを押し続けるのである。このとき表示部１９は、予約設定動作完了の数秒後に現在時刻表示に復帰する。これらの予約設定は、一度設定した後は「予約」ボタン２３ａ（風呂用），２３ｂ（暖房「入」用），２３ｃ（暖房「切」用）を押すだけで、毎日同時刻の運転を予約することができる。予約完了は該当する予約設定ランプの点灯（点滅ではなく）によって表示される。
【００２１】
上記のような操作盤５は、住宅内の、浴室１及び脱衣室２以外の箇所に設けられ、例えば台所、リビング、ダイニング等のように、住宅の住人である使用者が主な生活の場とする部屋に設けることが好ましい。図示の例では台所１３の壁面に操作盤５が設けられているが、近年では台所、リビング、ダイニング等を一体の部屋に形成することが多く、この場合はリビングやダイニング等と一体化した台所１３の壁面に設けることができる。
【００２２】
このようにすれば、使用者は、浴槽３へ温水を供給して湯張りを行う際には、台所１３等のような浴室１及び脱衣室２以外の箇所に設けられた操作盤５を操作するだけで、浴室１までわざわざ行くことなく、湯張りを行うことができるものであり、また入浴したり、トイレを使用したり、洗面を行ったりするために脱衣室２を使用する際等には、前記の操作盤５を操作するだけで、脱衣室２に行く前に予めこの脱衣室２を暖房することができ、使用者が予め暖房された脱衣室２に入室することができるものである。
【００２３】
また、脱衣室２の暖房は、温水熱輻射型暖房装置４によって行われることから、温風による暖房の場合のような冷風感を感じることがなく、特に入浴時に脱衣室２に入室して脱衣する際には、肌寒さを感じることがなくなり、快適且つ効率的に暖房を行うことができるものである。また図示の例のように温水熱輻射型暖房装置４として温水床暖房装置を設けると、熱輻射だけでなく足裏が直接床暖房により温められるものであり、このため、特に入浴時に脱衣室２にて脱衣した際に使用者の体が更に快適且つ効率的に温められるものである。
【００２４】
上記のような操作盤５は一つのみ設けることができるが、複数個設けることもできる。また図示のように浴室１にも前記操作盤５と同様の機能を有する別の操作盤６を設け、使用者が浴室１にても給湯の設定動作を行うことができるようにすることができる。
【００２５】
また、本給湯暖房システムでは、上記の操作盤５を、給湯機構による浴槽３内への温水の供給開始が設定された際に、同時に給湯機構による温水熱輻射型暖房装置４への温水の供給開始を設定する機能を有するように形成することもできる。この場合、使用者が操作盤５を操作して浴槽３内への温水の供給開始を設定して浴槽３の湯張りを行う際に、同時に温水熱輻射型暖房装置４へも温水を供給して脱衣室２の暖房を行うことができ、湯張り完了後に使用者が入浴するために脱衣室２を使用する際には、脱衣室２を既に暖房された状態とすることができて、別途に操作盤５を操作して脱衣室２の暖房を行うような必要がなくなるものであり、使用者が操作盤５を操作する回数を削減し、利便性を高めることができるものである。
【００２６】
この場合、操作盤５を図２に示すように形成する場合には、例えば使用者がランプスイッチ１５，１７を押すことにより、給湯機構による浴槽３への温水の供給開始を設定した際に、同時に温水熱輻射型暖房装置４への温水の供給開始も設定されるように形成するものである。
【００２７】
尚、このような場合でも、浴槽３への温水の供給とは無関係に温水熱輻射型暖房装置４への温水の供給開始を設定することもできるようにすることが好ましく、例えば図２に示す操作盤５においては、使用者がランプスイッチ１６を押すことにより、浴槽３へ温水を供給することなく、温水熱輻射型暖房装置４への温水の供給開始を設定することができるようにすることが好ましい。
【００２８】
また、上記操作盤５を、脱衣室２の暖房開始初期には給湯機構から温水熱輻射型暖房装置４へ比較的温度の高い温水を供給して高温モード運転をさせ、その後、給湯機構から温水熱輻射型暖房装置４へ比較的温度の低い温水を供給して通常運転させる機能を備えるように形成することもできる。
【００２９】
すなわち、温水熱輻射型暖房装置４を作動させる場合には、所定温度（例えば６０℃程度）の温水が温水熱輻射型暖房装置４に供給され、また操作盤５の床温度設定用矢印ボタン１４ａ，１４ｂにより設定された暖房レベルに応じて、例えば温水の供給を断続的に行うと共にその温水の供給開始と停止のタイミングを変更するなどのように、熱源機７が制御されるが、この温水熱輻射型暖房装置４の運転開始初期には、前記の所定温度を超える温度（例えば７０〜８０℃）の温水が、温水熱輻射型暖房装置４に供給され、その後、前記の設定された暖房レベルに応じた所定温度の温水が温水熱輻射型暖房装置４に供給されるようにするものであり、このような動作で給湯機構が作動するように、熱源機７が制御されるよう形成するものである。このとき、高温モード運転から通常運転への切り替えは適宜のタイミングで行われるが、例えば高温モード運転が所定時間行われた後に通常運転へ切り替える制御を行ったり、或いは温水熱輻射型床暖房装置４の温度や脱衣室２の室温を温度センサにて検知して、この温度センサにて検知される温度が所定温度に達した時点で通常運転に切り替えるような制御を行うことができる。
【００３０】
このようにすると、温水熱輻射型暖房装置４による脱衣室２の暖房を行う際に、高温モード運転により急速暖房を行った後に、通常運転により所定の暖房レベルでの暖房を行うことができ、脱衣室の温度を速やかに所望の温度まで上昇させることができるものである。
【００３１】
また、温水熱輻射型暖房装置４を作動させて脱衣室２の暖房を行う際に、脱衣室２の温度が所定温度以上である場合には温水熱輻射型暖房装置４による暖房を停止するように形成することもできる。例えば、脱衣室２内に温度センサを設けて、この温度センサからの温度検知信号が熱源機７の制御部１２へ入力されるように形成し、制御部１２は温度センサからの温度検知信号によって脱衣室２の温度が所定温度（例えば１０℃）以上となったときには、熱源機７による温水熱輻射型暖房装置への温水の供給を停止させる制御を行うように形成するものである。更に、制御部１２は、前記の動作により温水熱輻射型暖房装置４による暖房が停止された状態で、温度センサからの温度検知信号によって脱衣室２の温度が所定温度未満となったことが検知されたときには、熱源機７から温水熱輻射型暖房装置４へ温水を供給させる制御を行うように形成しても良い。
【００３２】
このようにすると、脱衣室２内が暖房が必要な温度である場合にのみ、脱衣室２の暖房を行うようにすることができ、不要な暖房を行わないようにすることができるものである。
【００３３】
また、浴室１内で入浴中の人がいる場合に温水熱輻射型暖房装置４による暖房温度を下げて、暖房温度を低減するようにすることも好ましい。
【００３４】
ここで、浴室１内に入浴中の人がいるか否かは、例えば浴室１内に赤外線センサ等からなる人体検知センサを設けたり、或いは浴槽３内の浴水の水位を電気化学的手段等で検知する水位検知センサを設け、人体検知センサにて浴室１内に人がいることを検知したり、水位検知センサによって、人が浴槽３につかることによる水位の変動を検知したりすることにより、行うことができる。そして、例えばこのようなセンサからの検知信号が熱源機７の制御部１２へ入力されるように形成して、この検知信号に基づいて制御部１２が暖房温度の変更のための制御を熱源機７に対して行うようにするものである。すなわち、例えば前記センサからの検知信号によって浴室１内に入浴中の人がいることが検知されたときには、熱源機７から温水熱輻射型暖房装置４へ断続的に供給される温水の供給開始・停止のタイミングを、例えば上記のように操作盤５の床温度設定用矢印ボタン１４ａ，１４ｂにより設定された暖房レベルに応じたタイミングよりも、温水の供給時間を短くしたり、温水の供給停止時間を長くなるようにするなどして、比較的低温で脱衣室の暖房を行うようにし、また入浴中の人がいることが検知されない場合には、熱源機７から温水熱輻射型暖房装置４へ供給される温水の供給開始・停止のタイミングが、前記の設定された暖房レベルに応じた所定のタイミングとなるようにするものである。
【００３５】
このようにすると、使用者が入浴していて脱衣室２が使用されていない状態では脱衣室２の暖房の度合いを低減することによりエネルギー消費量を削減すると共に脱衣室２内の温度が低くなり過ぎないようにし、使用者が入浴を終了して脱衣室２を利用する際には、脱衣室２の暖房の度合いを高くして脱衣室２内を十分に暖房することができるものである。
【００３６】
また、以上に示した実施形態では、温水熱輻射型暖房装置４を脱衣室２のみ設けて、この脱衣室２の温水熱輻射型暖房装置４の動作を、浴室１及び脱衣室３以外の箇所に設けた操作盤５により行うようにしているが、更に脱衣室２以外の箇所に温水熱輻射型暖房装置を設けて、この温水熱輻射型暖房装置の動作を上記の操作盤５により操作することができるように形成しても良い。このようにすれば、脱衣室２だけではなく、更に他の部屋における温水熱輻射型暖房装置の動作の設定を、一つの操作盤５により操作することができるものであり、このため例えば予め温水熱輻射型暖房装置が設けられている部屋の温水熱輻射型暖房装置を作動させて暖房を行ってから、その部屋を利用することができるようになるものである。
【００３７】
【発明の効果】
上記のように請求項１に係る給湯暖房システムは、浴室の浴槽内に温水を供給する給湯機構と、浴室及び脱衣室以外の箇所に設けられ、且つ前記給湯機構による前記浴槽への温水の供給開始を設定する機能を備える操作盤とを具備する給湯暖房システムにおいて、脱衣室に温水熱輻射型暖房装置を設け、前記給湯機構が前記温水熱輻射型暖房装置へ温水を供給する機能を具備すると共に、前記操作盤が前記給湯機構による前記温水熱輻射型暖房装置への温水の供給開始を設定する機能を備えるため、使用者は、浴槽へ温水を供給して湯張りを行う際には、台所等のような浴室及び脱衣室以外の箇所に設けられた操作盤を操作するだけで、浴室までわざわざ行くことなく、湯張りを行うことができるものであり、また入浴したり、トイレを使用したり、洗面を行ったりするため等に脱衣室を使用する際等には、前記の操作盤を操作するだけで、脱衣室に行く前に予めこの脱衣室を暖房することができ、使用者が予め暖房された脱衣室に入室することができるものである。また脱衣室の暖房は熱輻射にて行われることから、温風による暖房のような冷風感がなく、特に入浴時に脱衣室にて脱衣した際に肌寒さを感じることがなくなり、効率的に暖房を行うことができるものである。
【００３８】
また請求項２の発明は、請求項１において、上記温水熱輻射型暖房装置が、温水床暖房装置であるため、脱衣室での暖房時には、熱輻射だけでなく足裏が直接床暖房により温められることとなり、特に入浴時に脱衣室にて脱衣した際に使用者の体が更に効率的に温められるものである。
【００３９】
また請求項３の発明は、請求項１又は２において、上記操作盤が、上記給湯機構による上記温水熱輻射型暖房装置への温水の供給開始が設定された際に、同時に上記給湯機構による上記温水熱輻射型暖房装置への温水の供給開始を設定する機能を備えるものであるため、使用者が操作盤を操作して浴槽内への温水の供給開始を設定して浴槽の湯張りを行う際に、同時に温水熱輻射型暖房装置へも温水を供給して脱衣室の暖房を行うことができ、湯張り完了後に使用者が入浴するために脱衣室を使用する際には、脱衣室を既に暖房された状態とすることができて、別途に操作盤を操作して脱衣室の暖房を行うような必要がなくなるものであり、使用者が操作盤を操作する回数を削減し、利便性を高めることができるものである。
【００４０】
また請求項４の発明は、請求項１乃至３のいずれかにおいて、上記操作盤が、上記給湯機構による上記温水熱輻射型暖房装置への温水の供給開始が設定された際に、脱衣室の暖房開始初期には上記給湯機構から上記温水熱輻射型暖房装置へ比較的温度の高い温水を供給して高温モード運転をさせ、その後、前記給湯機構から前記温水熱輻射型暖房装置へ比較的温度の低い温水を供給して通常運転させるように、給湯機構の動作を設定する機能を備えるものであるため、温水熱輻射型暖房装置による脱衣室の暖房を行う際に、高温モード運転により急速暖房を行った後に、通常運転により所定の暖房レベルでの暖房を行うことができ、脱衣室の温度を速やかに所望の温度まで上昇させることができるものである。
【図面の簡単な説明】
【図１】本発明の実施の形態の一例を示す概略図である。
【図２】同上の実施の形態における操作盤の一例を示す正面図である。
【符号の説明】
１  浴室
２  脱衣室
３  浴槽
４  温水熱輻射型暖房装置
５  操作盤
【図１】
2004293855.tif 000003
【図２】
2004293855.tif 000004